(57)【要約】【課題】床が通路の幅方向に相対動するための空間を建物内に設けることなく２つの建物を相対動可能にすることによって、建物を小型化し、建物のより経済的な構築を可能にする建物間の通路の構造を提供すること。【解決手段】隣接する２つの建物を連絡する通路の構造は、一方の建物の外面に固定され、前記通路の幅方向に伸びる支持部材と、一端部が前記支持部材に該支持部材に対してその長手方向に相対動可能に支持され、他端部が他方の建物に該建物に対して相対動可能に支持された床とを含む。【選択図】図１
2007270506.tif 000002
【特許請求の範囲】
【請求項１】
隣接する２つの建物を連絡する通路の構造であって、一方の建物の外面に固定され、前記通路の幅方向に伸びる支持部材と、一端部が前記支持部材に該支持部材に対してその長手方向に相対動可能に支持され、他端部が他方の建物に該建物に対して相対動可能に支持された床とを含む、建物間の通路の構造。
【請求項２】
前記床の前記一端部はほぼ円形の横断面形状を有し、前記支持部材は前記床の前記一端部を受け入れる溝を有する、請求項１に記載の建物間の通路の構造。
【請求項３】
前記床の前記一端部は、前記通路の幅方向に伸び、下方へ突出する突起を有し、前記支持部材は前記突起を受け入れる溝を有する、請求項１に記載の建物間の通路の構造。
【請求項４】
前記他方の建物に配置され、前記床を受け入れるケーシングを含む、請求項１に記載の建物間の通路の構造。
【請求項５】
前記ケーシングは、それぞれが前記床を受ける複数のローラーを備える、請求項４に記載の建物間の通路の構造。
【請求項６】
前記床上に設けられ、通路空間を規定するフレームと、該フレームと前記一方の建物とを連結する伸縮可能な第１の壁及び該第１の壁上の第１の屋根部分と、前記フレームと前記他方の建物とを連結する伸縮可能な第２の壁及び該第２の壁上の第２の屋根部分とを備える、請求項１に記載の建物間の通路の構造。
【発明の詳細な説明】
【技術分野】
【０００１】
本発明は、隣接する２つの建物を連絡する通路の構造に関する。
【背景技術】
【０００２】
隣接する２つの建物、特に免震建物と非免震建物とは地震時に水平方向に相対的に動くため、前記建物を連絡する通路は該建物の相対的な動き（以下「相対動」という。）を妨げない構造とする必要がある。図６に示すように、従来、２つの建物１００、１０２間の通路１０４は、床１０６の一端部１０６ａが一方の建物１００に固定され、床１０６の他端部１０６ｂが他方の建物１０２に相対動可能に支持されている（非特許文献１参照）。床１０６の他端部１０６ｂは他方の建物１０２に対して相対動可能であるため、地震時に２つの建物１００、１０２は相対動する。
【非特許文献１】１９９９年日本免震構造協会発行「改訂新版 免震建築の設計とディテール」第８７頁
【発明の開示】
【発明が解決しようとする課題】
【０００３】
ところで、２つの建物１００、１０２が相対動するとき、床１０６の他端部１０６ｂは他方の建物１０２に対して通路１０４の長さ方向及び幅方向に相対動する。このため、他方の建物１０２内には、床１０６とこれに隣接する壁１０８との間に床１０６が前記幅方向に相対動するための空間１１０を設ける必要がある。したがって、他方の建物１０２は大型化し、建物の構築にかかる費用が高くつく。
【０００４】
本発明の目的は、床が通路の幅方向に相対動するための空間を建物内に設けることなく２つの建物を相対動可能にすることによって、建物を小型化し、建物のより経済的な構築を可能にする建物間の通路の構造を提供することである。
【課題を解決するための手段】
【０００５】
本発明は、前記目的を達成するために、床と一方の建物とが該建物の外で前記幅方向に相対動可能であるようにする。
【０００６】
本発明に係る、隣接する２つの建物を連絡する通路の構造は、一方の建物の外面に固定され、前記通路の幅方向に伸びる支持部材と、一端部が前記支持部材に該支持部材に対してその長手方向に相対動可能に支持され、他端部が他方の建物に該建物に対して相対動可能に支持された床とを含む。前記床と前記一方の建物とが前記通路の幅方向に相対動可能であるため、前記床と前記他方の建物とは前記幅方向に相対動する必要がない。よって、前記他方の建物内には前記床が前記幅方向に相対動するための空間を設ける必要はない。また、前記床は前記一方の建物に対して該建物の外で相対動可能であるため、前記一方の建物内に前記床の移動空間を設ける必要はない。
【０００７】
前記床の前記一端部はほぼ円形の横断面形状を有することができ、前記支持部材は前記床の前記一端部を受け入れる溝を備えることができる。これにより、２つの建物が鉛直方向に相対動した場合でも、前記床は、その一端部が前記溝内で枢動し、建物の動きに従うことができる。前記床の前記一端部は、ほぼ円形の横断面形状を有する上記の例に代え、前記通路の幅方向に伸び、下方へ突出する突起を備え、前記支持部材は前記突起を受け入れる溝を備えることができる。
【０００８】
前記通路の構造は、前記他方の建物に配置された、前記床を受け入れるケーシングを含むことができる。前記ケーシングは、それぞれが前記床を受ける複数のローラーを備えることができる。これにより、前記床が前記他方の建物に対して相対動するときの摩擦を低減することができる。
【０００９】
前記通路の構造は、前記床上に設けられ、通路空間を規定するフレームと、該フレームと前記一方の建物とを連結する伸縮可能な第１の壁及び該第１の壁上の第１の屋根部分と、前記フレームと前記他方の建物とを連結する伸縮可能な第２の壁及び該第２の壁上の第２の屋根部分とを備え、これにより前記通路の通行人を風雨から保護することができる。前記第１の壁、前記第２の壁、前記第１の屋根部分及び前記第２の屋根部分は２つの建物の相対動に対応して伸縮することができる。
【発明の効果】
【００１０】
本発明によれば、建物を連絡する通路の床が該通路の幅方向に相対動するための空間を建物内に設けることなく２つの建物を相対動可能にすることによって、建物を小型化し、建物をより経済的に構築することができる。
【発明を実施するための最良の形態】
【００１１】
図１、２に示すように、隣接する２つの建物１０、１２を連絡する通路１４の構造は、一方の建物１０の外面１６に固定され、通路１４の幅方向に伸びる支持部材１８と、一端部１９ａが支持部材１８に該支持部材に対して相対動可能に支持され、他端部１９ｂが他方の建物１２に該建物に対して相対動可能に支持された床２０とを含む。床２０の一端部１９ａは支持部材１８に対して該支持部材の長手方向に相対動可能である。一方の建物１０には、例えば、通路１４に通ずる第１の廊下２２と該第１の廊下を区画する第１の内壁２４とが設けられており、他方の建物１２には、通路１４に通ずる第２の廊下２６と該第２の廊下を区画する第２の内壁２８とが設けられている。
【００１２】
図３に示すように、一方の建物１０と他方の建物１２とが通路１４の幅方向（図面の上下方向）に相対動するとき、床２０と支持部材１８とは通路１４の幅方向に相対動する。このため、床２０は他方の建物１２に対して通路１４の幅方向に相対動する必要がない。よって、他方の建物１２内に床２０が通路１４の幅方向に相対動するための空間を設ける必要はない。また、床２０と一方の建物１０とが該建物の外で相対動可能であるため、一方の建物１０内にも床２０が相対動するための空間を設ける必要はない。また、図４に示すように、一方の建物１０と他方の建物１２とが通路１４の長さ方向（図面の左右方向）に相対動するとき、床２０と他方の建物１２とは通路１４の長さ方向に相対動する。
【００１３】
床２０の一端部１９ａは、例えば、ほぼ円形の横断面形状を有し、支持部材１８は床２０の一端部１９ａを受け入れるほぼ円形の溝１８ａを有する（図１）。これにより、２つの建物１０、１２が鉛直方向に相対動した場合でも、床２０は、その一端部１９ａが溝１８ａ内で枢動し、建物の動きに従うことができる。床２０の一端部１９ａは、ほぼ円形の横断面形状を有する上記の例に代え、図５に示すように、通路１４の幅方向に伸び、下方へ突出する突起２０ａを備えることができ、この場合、支持部材１８は突起２０ａを受け入れる溝１８ｂを備える。
【００１４】
図示の例では、通路１４は、他方の建物１２に配置された、床２０を受け入れるケーシング３０を含む（図１）。これにより、床２０を露出させないようにすることができ、第２の廊下２６の通行をより安全にすることができる。すなわち、床２０が第２の廊下２６上を移動したとき、床２０が通行人に当たって通行人が負傷したり、通行人の足が床２０と第２の廊下２６との間に挟まれたりすることがないようにすることができる。ケーシング３０は、一対の頂板３０ａ及び底板３０ｂと、頂板３０ａ及び底板３０ｂを連結する一対の側板３０ｃ及び端板３０ｄとからなる。ケーシング３０は他方の建物１２に固定されており、ケーシング３０の幅は床２０の幅とほぼ等しい。
【００１５】
ケーシング３０は、それぞれが床２０を受ける複数のローラー３２を備えることができ、床２０が他方の建物１２に対して相対動するときの摩擦を低減することができる。ローラー３２は、例えば、床２０の底面が接触する複数の第１ローラー３２ａと、床２０の頂面が接触する複数の第２ローラー３２ｂと、床２０の側面が接触する複数の第３ローラー３２ｃとからなる。
【００１６】
通路１４は、例えば、床２０上に設けられ、通路空間３４を規定するフレーム３６と、該フレームと一方の建物１０とを連結する伸縮可能な第１の壁３８及び該第１の壁上の第１の屋根部分４０と、フレーム３６と他方の建物１２とを連結する伸縮可能な第２の壁４２及び該第２の壁上の第２の屋根部分４４とを備えることができる。これにより通路１４の通行人を風雨から保護することができる。第１の壁３８、第２の壁４２、第１の屋根部分４０及び第２の屋根部分４４は２つの建物１０、１２の相対動に対応して伸縮することができる。図示の例では、第１の壁３８、第２の壁４２、第１の屋根部分４０及び第２の屋根部分４４は蛇腹構造である。第１の壁３８、第２の壁４２、第１の屋根部分４０及び第２の屋根部分４４は、蛇腹構造である図示の例に代え、相対移動可能に重ね合わせた複数の板部材を互いにスライドさせることにより伸縮可能にした構造とすることができる。
【００１７】
図示の例において、床が通路の幅方向に相対動するための空間を建物内に設けることなく２つの建物を相対動可能にすることによって、建物を小型化し、建物をより経済的に構築することができる。
【図面の簡単な説明】
【００１８】
【図１】本発明に係る建物間の通路の縦断面図。
【図２】図１の線２における断面図。
【図３】２つの建物が通路の幅方向に相対動したときの建物間の通路の水平断面図。
【図４】２つの建物が通路の長手方向に相対動したときの建物間の通路の水平断面図。
【図５】本発明の他の実施例における建物間の通路の縦断面図。
【図６】従来の建物間の通路の水平断面図。
【符号の説明】
【００１９】
１０    一方の建物
１２    他方の建物
１４    通路
１６    外面
１８    支持部材
１８ａ、１８ｂ    溝
１９ａ    床の一端部
１９ｂ    床の他端部
２０    床
２０ａ    突起
３０    ケーシング
３２    ローラー
３２ａ    第１ローラー
３２ｂ    第２ローラー
３２ｃ    第３ローラー
３４    通路空間
３６    フレーム
３８    第１の壁
４０    第１の屋根部分
４２    第２の壁
４４    第２の屋根部分
【図１】
2007270506.tif 000003
【図２】
2007270506.tif 000004
【図３】
2007270506.tif 000005
【図４】
2007270506.tif 000006
【図５】
2007270506.tif 000007
【図６】
2007270506.tif 000008